(57)【要約】【課題】エリミネータ等の変換器が装着された状態の印刷装置を安定的に保持できる保持台を提供する。【解決手段】保持台７Ａは、印刷装置を保持し、且つ、印刷装置に装着されたバッテリーを充電することが可能である。印刷装置は、バッテリーと変換器とを選択的に装着可能であり、装着されたバッテリー又は変換器から供給される直流電源により駆動して印刷動作を実行する。印刷装置は、バッテリー及び変換器の本体部を収容可能な収容部を有する。変換器は、本体部、及び、本体部に一端側が接続されたハーネスを有する。変換器は、ハーネスの他端側から供給された交流電源を直流電源に変換する。保持台７Ａは、印刷装置が保持される基部７０と、基部７０に設けられ、変換器が装着された印刷装置が保持された場合においてハーネスを案内する案内部７１Ａとを備える。【選択図】図５
2020082647.tif 000002
【特許請求の範囲】
【請求項１】
印刷装置を保持するための保持台であって、
前記印刷装置は、
バッテリーと変換器とを選択的に装着可能であり、装着された前記バッテリー又は前記変換器から供給される直流電源により駆動して印刷動作を実行し、
前記バッテリー及び前記変換器の本体部を収容可能な収容部を有し、
前記変換器は、
前記本体部、及び、前記本体部に一端側が接続されたハーネスを有し、
前記ハーネスの他端側から供給された交流電源を直流電源に変換し、
前記印刷装置に装着された前記バッテリーの充電が可能な前記保持台であって、
前記印刷装置が保持される基部と、
前記基部に設けられ、前記変換器が装着された前記印刷装置が保持された場合において前記ハーネスを案内する案内部と
を備えたことを特徴とする保持台。
【請求項２】
前記案内部は、
前記基部に保持された前記印刷装置の前記収容部に収容された前記変換器の前記本体部と前記ハーネスとの接続部分から、前記基部の端部まで延びる形状を有することを特徴とする請求項１に記載の保持台。
【請求項３】
前記案内部は、前記基部に設けられた凹部により形成されたことを特徴とする請求項１又は２に記載の保持台。
【請求項４】
前記案内部は、前記ハーネスを挿入可能な溝又は孔であることを特徴とする請求項１から３の何れかに記載の保持台。
【請求項５】
前記基部は、
前記印刷装置が前記基部に保持された状態で前記印刷装置に接触する保持部と、
前記印刷装置に設けられた装置側端子と接触可能な台側端子を有し、
前記印刷装置が前記基部に保持された状態で、前記装置側端子に前記台側端子が接触することを特徴とする請求項４に記載の保持台。
【請求項６】
前記装置側端子は、前記収容部に収容された前記バッテリーと電気的に接続し、
前記台側端子には、前記バッテリーを充電することが可能な電圧が印加されることを特徴とする請求項５に記載の保持台。
【請求項７】
前記基部は、
前記印刷装置が保持された状態で前記印刷装置の複数の被係合部に係合して前記印刷装置を保持する複数の係合部を有し、
前記案内部は、前記基部のうち前記複数の係合部の間の位置に設けられたことを特徴とする請求項１から６の何れかに記載の保持台。
【請求項８】
印刷装置を保持するための保持台であって、
前記印刷装置が保持される基部と、
前記基部に設けられ、前記印刷装置から延びるハーネスを案内する案内部と、
を備えたことを特徴とする保持台。
【発明の詳細な説明】
【技術分野】
【０００１】
本発明は、印刷装置を保持するための保持台に関する。
【背景技術】
【０００２】
印刷装置を保持するための保持台が提案されている。特許文献１は、インクジェットプリンタ用のクレイドルを開示する。クレイドルには、バッテリーチャージャが取り付けられたインクジェットプリンタが装着される。バッテリーチャージャは、バッテリーを内蔵した充電ユニットである。インクジェットプリンタは、バッテリーチャージャのバッテリーにより駆動し、印刷動作を実行する。クレイドルは、インクジェットプリンタが装着された状態において、バッテリーチャージャを充電する。
【０００３】
インクジェットプリンタは、クレイドルに装着される場合、バッテリーチャージャを下側に向けた状態で、クレイドルのうちアッパーケース及び底面部材で囲まれた部分（以下、「収納部」という。）にバッテリーチャージャを上側から進入させる。バッテリーチャージャは収納部に収納され、インクジェットプリンタは直立した状態でクレイドルに保持される。このとき、クレイドルの底面部材に設けられたコンタクト端子部に、バッテリーチャージャの接点部が接触する。クレイドルのジャックにＡＣアダプターが接続されることにより、バッテリーチャージャのバッテリーは、コンタクト端子部及び接点部を介して充電される。
【０００４】
インクジェットプリンタ等の印刷装置に対し、バッテリーチャージャの代わりにバッテリーエリミネータ（以下、単に「エリミネータ」という。）が装着されて使用される場合がある。エリミネータは、本体部及びハーネスを有する。本体部の形状は、バッテリーチャージャと略同一である。エリミネータは、ハーネスから供給される交流電源を直流電源に変換し、印刷装置に供給する。印刷装置は、エリミネータから供給される直流電源により駆動し、印刷動作を実行する。
【先行技術文献】
【特許文献】
【０００５】
【特許文献１】特開２００４−２２９４４９号公報
【発明の概要】
【発明が解決しようとする課題】
【０００６】
エリミネータが装着された印刷装置が、保持台に保持された状態で使用される場合がある。ここで、保持台において印刷装置を保持するための構成として、上記のクレイドルの収納部が適用された場合、エリミネータのハーネスが底面部材に接触する可能性がある。この場合、保持台は印刷装置を安定的に保持できない。
【０００７】
本発明の目的は、エリミネータ等の変換器が装着された状態の印刷装置を安定的に保持できる保持台を提供することである。
【課題を解決するための手段】
【０００８】
本発明の第１態様に係る保持台は、印刷装置を保持するための保持台であって、前記印刷装置は、バッテリーと変換器とを選択的に装着可能であり、装着された前記バッテリー又は前記変換器から供給される直流電源により駆動して印刷動作を実行し、前記バッテリー及び前記変換器の本体部を収容可能な収容部を有し、前記変換器は、前記本体部、及び、前記本体部に一端側が接続されたハーネスを有し、前記ハーネスの他端側から供給された交流電源を直流電源に変換し、前記印刷装置に装着された前記バッテリーの充電が可能な前記保持台であって、前記印刷装置が保持される基部と、前記基部に設けられ、前記変換器が装着された前記印刷装置が保持された場合において前記ハーネスを案内する案内部とを備えことを特徴とする。
【０００９】
印刷装置において、保持台のうち印刷装置が保持される基部に、変換器のハーネスが案内される案内部が設けられる。このため、保持台は、印刷装置が保持された状態で、印刷装置と基部との間にハーネスが挟まれることを抑制できるので、印刷装置を安定的に保持できる。又、保持台に印刷装置が保持された状態で、保持台のうち印刷装置側と反対側の端部と、印刷装置のうち保持台側と反対側の端部との間の距離（即ち、保持台と印刷装置とを含む全体の厚さ）を、案内部がない場合に比べて小さくできる。
【００１０】
第１態様において、前記案内部は、前記基部に保持された前記印刷装置の前記収容部に収容された前記変換器の前記本体部と前記ハーネスとの接続部分から、前記基部の端部まで延びる形状を有してもよい。保持台は、印刷装置の収容部に収容された変換器の本体部から延びるハーネスを、基部の端部まで案内できる。従って保持台は、印刷装置と基部との間にハーネスが挟まれることを、より適切に抑制できる。
【００１１】
第１態様において、前記案内部は、前記基部に設けられた凹部により形成されてもよい。この場合、案内部により案内されたハーネスが、基部の表面から突出する可能性を低減できる。従って、保持台は、基部によって印刷装置を更に安定的に保持できる。又、保持台と印刷装置とを含む全体の厚さを更に小さくできる。
【００１２】
第１態様において、前記案内部は、前記ハーネスを挿入可能な溝又は孔であってもよい。この場合、保持台は、ハーネスを案内することが可能な構成を、溝又は孔により容易に実現できる。
【００１３】
第１態様において、前記基部は、前記印刷装置が前記基部に保持された状態で前記印刷装置に接触する保持部と、前記印刷装置に設けられた装置側端子と接触可能な台側端子を有し、前記印刷装置が前記基部に保持された状態で、前記装置側端子に前記台側端子が接触してもよい。溝又は孔により形成された案内部がハーネスを案内することにより、装置側端子と台側端子とが接触し且つ印刷装置と保持部とが接触した場合でも、印刷装置と保持部との間、及び、印刷装置と基部との間にケーブルが挟まれることを抑制できる。
【００１４】
第１態様において、前記装置側端子は、前記収容部に収容された前記バッテリーと電気的に接続し、前記台側端子には、前記バッテリーを充電することが可能な電圧が印加されてもよい。印刷装置にバッテリーが収容されており、保持台を充電台として使用する場合、装置側端子及び台側端子を介してバッテリーを充電できる。
【００１５】
第１態様において、前記基部は、前記印刷装置が保持された状態で前記印刷装置の複数の被係合部に係合して前記印刷装置を保持する複数の係合部を有し、前記案内部は、前記基部のうち前記複数の係合部の間の位置に設けられてもよい。保持台は、変換器のハーネスが案内部に案内された状態で、印刷装置を基部に適切に保持できる。保持台は、基部に対して印刷装置の位置がずれることで案内部からハーネスが外れる可能性を低減できる。
【００１６】
本発明の第２態様に係る保持台は、印刷装置を保持するための保持台であって、前記印刷装置が保持される基部と、前記基部に設けられ、前記印刷装置から延びるハーネスを案内する案内部と、を備えたことを特徴とする。第２態様によれば、第１態様と同様の効果を奏することができる。
【図面の簡単な説明】
【００１７】
【図１】印刷装置１及び保持台７Ａの斜視図である。
【図２】印刷装置１を上方から視た斜視図である。
【図３】（ａ）バッテリー５が装着された印刷装置１、及び、（ｂ）エリミネータ６が装着された印刷装置１を、それぞれ下方から視た斜視図である。
【図４】エリミネータ６の斜視図である。
【図５】保持台７Ａの斜視図である。
【図６】保持台７Ａの平面図である。
【図７】保持台７Ｂの斜視図である。
【図８】保持台７Ｃの斜視図である。
【図９】保持台７Ｄの斜視図である。
【図１０】保持台７Ｅの斜視図である。
【図１１】保持台７Ｆの斜視図である。
【発明を実施するための形態】
【００１８】
本発明の一実施形態について、図面を参照して説明する。図１に示すように、印刷装置１は、バッテリー５（図３参照）による駆動が可能なモバイル型の感熱プリンタである。印刷装置１は、ＵＳＢ（登録商標）ケーブルを介して外部端末（図示略）に接続可能である。印刷装置１は、外部端末から受信した印刷データに基づいて内部のサーマルヘッドを発熱させることによって、感熱ラベルに文字、図形等のキャラクタを印刷できる。外部端末は汎用のパーソナルコンピュータ（ＰＣ）である。印刷装置１は、例えばベルトクリップ（図示略）を介して腰ベルトに装着されたり、肩掛けベルトにより肩に掛けられたりすることによって、ユーザに携帯されて使用される。保持台７Ａ〜７Ｆ（図６〜図１１参照、総称して「保持台７」という。）は、印刷装置１を保持することが可能な据え置き型の台である。保持台７は、バッテリー５が装着された印刷装置１が保持された場合、バッテリー５を充電することが可能な充電台としても機能する。図１の右側、左側、右上側、左下側、上側、及び下側を、それぞれ、印刷装置１及び保持台７の右側、左側、後側、前側、上側、及び下側と定義する。
【００１９】
＜印刷装置１＞
図２、図３に示すように、印刷装置１は、略直方体状の筐体１０を有する。筐体１０の前面１０Ｆのうち左右両端部を除く部分に、ユーザインタフェース１１が設けられる。ユーザインタフェース１１は、ＬＣＤ１２Ａ及び複数の操作ボタン１２Ｂを含む。前面１０Ｆのうちユーザインタフェース１１に対して右側に、被係合部１３Ｒが設けられる。前面１０Ｆのうちユーザインタフェース１１に対して左側に、被係合部１３Ｌが設けられる。被係合部１３Ｒ、１３Ｌを総称して「被係合部１３」という。被係合部１３は、後側に向けて凹んだ凹部である。被係合部１３には、印刷装置１を肩に掛けるための肩掛けベルトの両端部のフックを取り付けることが可能な、フック取付片も設けられる。図２に示すように、筐体１０の上面１０Ｕに、印刷済みの感熱ラベルが排出される排出口１４が設けられる。筐体１０の右面１０Ｒに、ゴム製の蓋１５が設けられる。蓋１５は、ＵＳＢケーブルが接続される非図示のＵＳＢコネクタを覆う。
【００２０】
図３（ａ）（ｂ）に示すように、筐体１０の下面１０Ｂに収容部１６が設けられる。収容部１６は、上側に凹んだ凹部である。収容部１６には、バッテリー５（図３（ａ）参照）、又は、エリミネータ６の本体部６１（図３（ｂ）参照）を収容可能である。収容部１６に対してバッテリー５又は本体部６１が選択的に収容されることによって、印刷装置１は、バッテリー５又はエリミネータ６を選択的に装着可能である。
【００２１】
図３（ａ）は、収容部１６にバッテリー５が収容された状態を示す。バッテリー５は略直方体状であり、収容部１６の内部形状と略同一である。収容部１６にバッテリー５が収容された状態で、筐体１０の下面１０Ｂとバッテリー５の下面５Ｂとのそれぞれの上下方向の位置は一致する。このため、筐体１０の下面１０Ｂとバッテリー５の下面５Ｂとは、共通の仮想水平面に沿って配置される。
【００２２】
収容部１６にバッテリー５が収容された状態で、バッテリー５及び収容部１６のそれぞれに設けられた端子（図示略）が接触する。バッテリー５は、接触したそれぞれの端子を介して、印刷装置１に直流電源を供給する。印刷装置１は、バッテリー５から供給される直流電源により駆動して印刷動作を実行する。又、バッテリー５が装着された印刷装置１が保持台７（図１参照）に保持された場合、バッテリー５は、保持台７から供給される電源により充電可能である。
【００２３】
バッテリー５は、弾性変形可能なフック５Ａを前端部に有する。フック５Ａは、バッテリー５が収容部１６に収容された状態で、収容部１６の前端部に係合する。フック５Ａは、収容部１６に収容されたバッテリー５の状態を保持する。フック５Ａは、後向きの力が加わることにより変形し、収容部１６の前端部に係合した状態が解除される。これにより、収容部１６からバッテリー５を外すことが可能となる。
【００２４】
図３（ｂ）は、収容部１６にエリミネータ６の本体部６１が収容された状態を示す。図４に示すように、エリミネータ６は、本体部６１、ハーネス６２、変換部６３を有する。本体部６１は略直方体状であり、バッテリー５（図３（ａ）参照）、及び、収容部１６（図３（ｂ）参照）の内部形状のそれぞれと略同一形状である。本体部６１は、弾性変形可能なフック６１Ａを前端部に有する。ハーネス６２は、一端側が本体部６１の下面６１Ｂに接続し、他端側に向けて右側に延びる。ハーネス６２の他端側に、非図示のＡＣプラグが接続される。ハーネス６２の一端側と他端側との間に、変換部６３が設けられる。変換部６３は、内部にＡＣ／ＤＣコンバータを備える。変換部６３は、ハーネス６２の他端側から供給された交流電源を直流電源に変換し、ハーネス６２の一端側に向けて供給する。なお、エリミネータ６は、ハーネス６２の他端部にＡＣプラグの代わりにＤＣプラグが接続され、変換部６３は、ＡＣ／ＤＣコンバータの代わりにＤＣ／ＤＣコンバータを備える構成であってもよい。
【００２５】
図３（ｂ）に示すように、エリミネータ６の本体部６１が収容部１６に収容された状態で、筐体１０の下面１０Ｂと本体部６１の下面６１Ｂとのそれぞれの上下方向の位置は一致する。このため、筐体１０の下面１０Ｂと本体部６１の下面６１Ｂとは、共通の仮想水平面に沿って配置される。一方、ハーネス６２の一端側の上下方向の位置は、印刷装置１の下面１０Ｂ及び本体部６１の下面６１Ｂよりも下方に配置される。このため、ハーネス６２は、印刷装置１の下面１０Ｂ及び本体部６１の下面６１Ｂが配置される共通の仮想水平面に対して、下側に突出する。
【００２６】
エリミネータ６の本体部６１が収容部１６に収容された状態で、本体部６１及び収容部１６のそれぞれに設けられた端子が接触する。本体部６１は、変換部６３からハーネス６２を介して供給される直流電源を、接触したそれぞれの端子を介して印刷装置１に供給する。印刷装置１は、本体部６１から供給される直流電源により駆動して印刷動作を実行する。
【００２７】
フック６１Ａは、本体部６１が収容部１６に収容された状態で、収容部１６の前端部に係合する。フック６１Ａは、収容部１６に収容された本体部６１の状態を保持する。フック６１Ａは、後向きの力が加わることにより変形し、収容部１６の前端部に係合した状態が解除される。これにより、収容部１６から本体部６１を外すことが可能となる。
【００２８】
図３（ａ）（ｂ）に示すように、下面１０Ｂのうち収容部１６に対して後側に形成された凹部１７０の内部に、装置側端子１７が設けられる。装置側端子１７は、左右方向に配列された複数の電極を含む。図３（ａ）（ｂ）において、凹部１７０は蓋１７Ａにより閉塞されている。蓋１７Ａが取り外された場合、装置側端子１７は露出する。印刷装置１は、蓋１７Ａが取り外された状態で、保持台７に保持される。
【００２９】
下面１０Ｂのうち装置側端子１７に対して右側に、被係合部１８Ｒが設けられる。下面１０Ｂのうち装置側端子１７に対して左側に、被係合部１８Ｌが設けられる。被係合部１８Ｒ、１８Ｌを総称して、「被係合部１８」という。被係合部１８は、上側に凹んだ凹部である。被係合部１８の開口部は矩形状である。
【００３０】
＜保持台７Ａ＞
図５、図６に示すように、保持台７Ａは基部７０を有する。基部７０は分厚い板状を有し、上下方向と直交する。基部７０の上面７０Ｕは略平面状を有し、水平に延びる。基部７０の右面７０Ｒ及び左面７０Ｌは、それぞれの前後方向中央よりも前側に、内側に向けて凹んだ凹部７０１を有する。図５に示すように、右面７０Ｒのうち凹部７０１よりも後側に、ソケット７０２が設けられる。ソケット７０２には、非図示のＡＣアダプターのジャックが接続可能である。図５、図６に示すように、基部７０の前面７０Ｆの右端部に、係合部７３Ｒが設けられる。前面７０Ｆの左端部に、係合部７３Ｌが設けられる。係合部７３Ｒ、７３Ｌを総称して「係合部７３」という。係合部７３は、上面７０Ｕよりも上側に突出する。図５に示すように、係合部７３は、後側に突出する突出部７３１を上端部に有する。
【００３１】
基部７０の上面７０Ｕに、保持部７２１〜７２４（総称して「保持部７２」という。）が設けられる。保持部７２は、上面７０Ｕに沿って延びる棒状を有し、上面７０Ｕから上側に突出する。図６に示すように、保持部７２１は、左面７０Ｌの凹部７０１の底部に対して右斜め後側に設けられる。保持部７２１は、後端部から右側斜め前側に延びる。保持部７２３は、右面７０Ｒの凹部７０１の底部に対して左斜め後側に設けられる。保持部７２３は、後端部から左側斜め前側に延びる。保持部７２１、７２３は左右方向に配列される。保持部７２２は、左面７０Ｌの凹部７０１の底部に対して右側に設けられる。保持部７２４は、右面７０Ｒの凹部７０１の底部に対して左側に設けられる。保持部７２２、保持部７２４は、それぞれ前後方向に延び、且つ、左右方向に配列される。保持部７２２、保持部７２４は、保持部７２１、保持部７２３よりも前側に配置される。
【００３２】
図６に示すように、上面７０Ｕのうち保持部７２１、７２３のそれぞれの後側に、矩形状の穴７０Ｈが設けられる。図５に示すように、保持部７２１の後側の穴７０Ｈの下側から上側に向けて、係合部７８Ｌが延びる。保持部７２３の後側の穴７０Ｈの下側から上側に向けて、係合部７８Ｒが延びる。係合部７８Ｌ、７８Ｒは、左右方向に離隔して配列される。係合部７８Ｒ、７８Ｌを総称して「係合部７８」という。係合部７８は略四角柱状を有する。係合部７８の上端部は、上面７０Ｕから上側に突出する。係合部７８は、前側に突出する突出部７８１を前面に有する。係合部７８の上面は、水平面に対して傾斜し、前斜め上側を向く。係合部７８の下端部は、基部７０内で、左右方向に延びる軸（図示略）を中心として揺動可能に支持される。係合部７８は、揺動により、下端部から上側に延びた位置（「係合位置」という。図５参照）と、下端部から後斜め上側に延びた状態（「解除位置」という。）とに切り替わる。係合部７８は、基部７０内に設けられた非図示のバネにより、解除位置から係合位置に向けて付勢される。
【００３３】
図５、図６に示すように、上面７０Ｕのうち係合部７８Ｒ、７８Ｌがそれぞれ通過する穴７０Ｈの間の部分に、台側端子７７が設けられる。台側端子７７は複数の電極を有する。複数の電極には、ＡＣアダプターのジャックがソケット７０２（図５参照）に接続された状態で、電圧Ｖが印加される。壁部７７Ａは板状を有し、上面７０Ｕのうち台側端子７７を囲む位置から上側に向けて延びる。壁部７７Ａの後端部の一部は欠落しており、開口部が形成される。
【００３４】
基部７０の後面７０Ｓにレバー７９が設けられる。レバー７９は、基部７０内で係合部７８の下端部に連結する。レバー７９が操作された場合、係合部７８は、基部７０内のバネの付勢力に抗して係合位置から解除位置に向けて揺動する。
【００３５】
基部７０の上面７０Ｕに案内部７１Ａが設けられる。案内部７１Ａは、下方に凹んだ凹部により形成される。より詳細には、案内部７１Ａは、左右方向に延びる細長い溝状の凹部である。案内部７１Ａは、基部７０の右面７０Ｒ及び左面７０Ｌのそれぞれの凹部７０１の底部によって左右方向から挟まれた部分に位置する。案内部７１Ａの前後方向の間隔（幅）は、エリミネータ６（図３参照）のハーネス６２の直径の約３倍である。案内部７１Ａの深さは、ハーネス６２の直径の約２倍である。
【００３６】
案内部７１Ａの左端部は、前後方向において保持部７２１、７２３と保持部７２２、７２４との間、且つ、左右方向において右面７０Ｒ及び左面７０Ｌのそれぞれの凹部７０１の底部の間に配置される。案内部７１Ａの右端部は、基部７０の右端部、より詳細には、基部７０の右面７０Ｒの凹部７０１の底部に配置される。即ち、案内部７１Ａは、基部７０の上面７０Ｕの内部から端部まで延びる。図６に示すように、係合部７３Ｒの右端部、係合部７３Ｌの左端部、係合部７８Ｒの右端部、係合部７８Ｌの左端部をそれぞれ仮想直線で結ぶことにより形成される閉領域Ｒを定義する。この場合、案内部７１Ａの略全体は、上側から視た場合において閉領域Ｒ内に配置される。即ち、案内部７１Ａは、係合部７３Ｒ、７３Ｌ、７８Ｒ、７８Ｌの間の位置に設けられる。
【００３７】
＜保持台７Ａに対する印刷装置１の保持方法＞
蓋１７Ａ（図３参照）が取り外されて装置側端子１７が露出した状態の印刷装置１が、保持台７（図５、図６参照）に対して上側に配置される。保持台７に対して印刷装置１が前斜め下側に移動することに応じ、保持台７に印刷装置１が近接する。図１に示すように、印刷装置１の被係合部１３に、保持台７Ａの係合部７３の突出部７３１が前側から進入する。これによって、印刷装置１の被係合部１３に保持台７の係合部７３が係合し、印刷装置１の前端部が保持台７に保持される。
【００３８】
次に、印刷装置１の後端部に対して下向きに力が加えられる。印刷装置１の後端部は保持台７に近接する。保持台７の係合部７８（図５参照）の上面に、印刷装置１の被係合部１８（図３参照）の開口端が接触する。係合部７８の上面は傾斜しているので、被係合部１８の開口端から係合部７８の上端部に対して、後向きの力が作用する。係合部７８は揺動し、基部７０内のバネの付勢力に抗して係合位置から解除位置まで揺動する。印刷装置１の後端部が保持台７に更に近接することによって、保持台７の係合部７８の突出部７８１（図５参照）は、印刷装置１の被係合部１８内に進入する。係合部７８に対して後ろ向きの力は作用しなくなる。係合部７８は、基部７０内のバネの付勢力により解除位置から係合位置まで揺動する。これによって、印刷装置１の被係合部１８に保持台７の係合部７８が係合し、印刷装置１の後端部が保持台７に保持される。以上により、印刷装置１は、保持台７の基部７０に保持される。
【００３９】
印刷装置１が保持台７の基部７０に保持された状態で、基部７０の上面７０Ｕに設けられた保持部７２（図５、図６参照）は、印刷装置１の筐体１０の下面１０Ｂ（図３参照）に接触する。基部７０は、保持部７２を介して印刷装置１を下方から保持する。印刷装置１の装置側端子１７（図３参照）の複数の電極に、保持台７の台側端子７７（図５、図６参照）の複数の電極が接触する。
【００４０】
バッテリー５が装着された印刷装置１（図３（ａ）参照）が上記の過程を経て保持台７Ａに保持された場合、バッテリー５は、印刷装置１の装置側端子１７を介して保持台７の台側端子７７と電気的に接続する。なお、保持台７Ａのソケット７０２にＡＣアダプターのジャックが接続された状態で、バッテリー５の充電が可能な電圧Ｖが台側端子７７の複数の電極に印加されている。このため、印刷装置１に装着されたバッテリー５に、台側端子７７及び装置側端子１７を介して電圧Ｖが印加される。このため、バッテリー５は充電される。
【００４１】
エリミネータ６が装着された印刷装置１（図３（ｂ）参照）が上記の過程を経て保持台７Ａに保持された場合、保持台７Ａの基部７０のうち案内部７１Ａの左端部に、エリミネータ６の本体部６１とハーネス６２との接続部分が位置する。ハーネス６２は案内部７１Ａ内に配置される。ハーネス６２は、本体部６１との接続部分から他端側に向けて、案内部７１Ａに沿って案内される。ハーネス６２は、保持台７の基部７０の右面７０Ｒの凹部７０１から外側に延出する。例えば、この状態でハーネス６２の他端部のＡＣプラグがＡＣソケットに接続された場合、ハーネス６２の他端部に対して交流電源が供給される。交流電源は、ハーネス６２の一端部と他端部との間に設けられた変換部６３（図４参照）によって直流電源に変換され、本体部６１に供給される。本体部６１は、供給された直流電源を印刷装置１に供給する。印刷装置１は、保持台７に保持された状態で直流電源により駆動し、印刷動作を実行できる。
【００４２】
＜保持台７Ａからの印刷装置１の脱離方法＞
保持台７Ａに印刷装置１が保持された状態でレバー７９が操作された場合、保持台７Ａの係合部７８は、係合位置から解除位置まで揺動する。これによって、印刷装置１の被係合部１８に対して保持台７Ａの係合部７８が係合した状態は解除される。次に、印刷装置１の後端部に対して上向きに力が加えられる。保持台７Ａの係合部７８は、印刷装置１の被係合部１８から脱離し、印刷装置１の後端部は上側に移動する。次に、印刷装置１は後斜め上方向に移動される。これによって、印刷装置１の被係合部１３に対して保持台７Ａの係合部７３が係合した状態は解除される。以上により、保持台７Ａから印刷装置１が脱離される。
【００４３】
＜保持台７Ｂ＞
次に、保持台７Ｂを説明する。図７に示すように、保持台７Ｂは、保持台７Ａの案内部７１Ａ（図６参照）の代わりに案内部７１Ｂを有する。案内部７１Ｂが案内部７１Ａと異なる点は、延びる方向及びその大きさである。案内部７１Ｂは、左右方向に対して傾斜した方向に延びる細長い溝状の凹部である。案内部７１Ｂは、基部７０の上面７０Ｕの内部から、基部７０の右端部、より詳細には、右面７０Ｒの凹部７０１の底部まで延びる。案内部７１Ｂの略全体は、保持台７Ａの場合と同様、上側から視た場合において閉領域Ｒ内に配置される。保持台７Ｂのその他の構成は、保持台７Ａと同じである。
【００４４】
エリミネータ６が装着された印刷装置１が保持台７Ｂに保持された場合、保持台７Ｂの基部７０のうち案内部７１Ｂの左端部に、エリミネータ６の本体部６１とハーネス６２との接続部分が位置する。ハーネス６２は、本体部６１との接続部分から他端側に向けて、案内部７１Ｂに沿って右側に案内される。ハーネス６２は、保持台７Ｂの基部７０の右面７０Ｒの凹部７０１から外側に延出する。
【００４５】
案内部７１Ｂの前後方向の間隔（幅）及び深さは、エリミネータ６（図３参照）のハーネス６２の直径よりも僅かに大きい。案内部７１Ｂの前後方向の間隔（幅）及び深さは、案内部７１Ａ（図６参照）の前後方向の間隔（幅）及び深さよりも小さい。このため、案内部７１Ｂに案内されたハーネス６２の位置を、より安定させることができる。よって、エリミネータ６が装着された印刷装置１を保持台７Ｂに保持させた状態で、エリミネータ６の本体部６１とハーネス６２との接続部分を曲げるような外力が作用することがない。
【００４６】
＜保持台７Ｃ、７Ｄ＞
次に、保持台７Ｃ、７Ｄを説明する。図８に示すように、保持台７Ｃは、保持台７Ｂの案内部７１Ｂ（図７参照）の代わりに案内部７１Ｃを有する。図９に示すように、保持台７Ｄは、保持台７Ｂの案内部７１Ｂ（図７参照）の代わりに案内部７１Ｄを有する。案内部７１Ｃ、７１Ｄが案内部７１Ｂと異なる点は、その延びる方向である。案内部７１Ｃ、７１Ｄは細長い溝状の凹部である。図８に示すように、案内部７１Ｃは、基部７０の上面７０Ｕの内部から、基部７０の左端部、より詳細には、左面７０Ｌの凹部７０１の底部まで、左側に向けて延びる。図９に示すように、案内部７１Ｄは、基部７０の上面７０Ｕの内部から、基部７０の前端部、より詳細には、前面７０Ｆまで、前側に向けて延びる。案内部７１Ｃ、７１Ｄの略全体は、保持台７Ａ、７Ｂの場合と同様、上側から視た場合において閉領域Ｒ内に配置される。保持台７Ｃ、７Ｄの他の構成は、保持台７Ａ、７Ｂと同じである。
【００４７】
保持台７Ｃ、７Ｄは、図３〜図４に示すエリミネータ６とは異なる別のエリミネータ６を使用する場合に対応した保持台である。詳しく図示しないが、別のエリミネータ６は、本体部６１とハーネス６２の接続位置及びハーネス６２の延出する方向が、図３〜図４に示すエリミネータ６と相違する。
【００４８】
別のエリミネータ６が装着された印刷装置１が保持台７Ｃ（図８参照）に保持された場合、保持台７Ｃの基部７０のうち案内部７１Ｃの右端部に、別のエリミネータ６の本体部６１とハーネス６２との接続部分が位置する。ハーネス６２は、本体部６１との接続部分から他端側に向けて、案内部７１Ｃに沿って左側に案内される。ハーネス６２は、保持台７Ｃの基部７０の左面７０Ｌの凹部７０１から外側に延出する。更に別のエリミネータ６が装着された印刷装置１が保持台７Ｄ（図９参照）に保持された場合、保持台７Ｄの基部７０のうち案内部７１Ｄの後端部に、エリミネータ６の本体部６１とハーネス６２との接続部分が位置する。ハーネス６２は、本体部６１との接続部分から他端側に向けて、案内部７１Ｄに沿って前側に案内される。ハーネス６２は、保持台７Ｃの基部７０の前面７０Ｆから外側に延出する。このため保持台７Ｃ、７Ｄでは、基部７０からハーネス６２が延出する場合の延出方向を、保持台７Ｂと異ならせることができる。このように、保持台７に設ける案内部の位置及び形状は、ユーザの要望に応じて自由に設けることができる。
【００４９】
＜保持台７Ｅ、７Ｆ＞
次に、保持台７Ｅ、７Ｆを説明する。図１０に示すように、保持台７Ｅは、保持台７Ａの案内部７１Ａ（図６参照）の代わりに案内部７１Ｅを有する。案内部７１Ｅは、左面７０Ｌの凹部７０１に設けられた切り欠きである。図１１に示すように、保持台７Ｆは、保持台７Ａの案内部７１Ａ（図６参照）の代わりに案内部７１Ｆを有する。案内部７１Ｆは、基部７０の上面７０Ｕと下面７０Ｂとの間を貫通する矩形状の孔である。案内部７１Ｅ、７１Ｆは、基部７０の上端部から下端部、より詳細には、上面７０Ｕから下面７０Ｂに亘って延びる。案内部７１Ｅ、７１Ｆの略全体は、保持台７Ａ〜７Ｄの場合と同様、上側から視た場合において閉領域Ｒ内に配置される。保持台７Ｅ、７Ｆの他の構成は、保持台７Ａ〜７Ｄと同じである。保持台７Ｅ、７Ｆは、上述した夫々のエリミネータ６とは、本体部６１とハーネス６２の接続位置及びハーネス６２の延出する方向が、また異なる別のエリミネータ６を使用する場合に対応した保持台である。
【００５０】
エリミネータ６が装着された印刷装置１が保持台７Ｅ、７Ｆに保持された場合、保持台７Ｅ、７Ｆの基部７０のうち案内部７１Ｅ、７１Ｆの上端部に、エリミネータ６の本体部６１とハーネス６２との接続部分が位置する。ハーネス６２は、本体部６１との接続部分から他端側に向けて、案内部７１Ｅ、７１Ｆに沿って下側に案内される。ハーネス６２は、保持台７Ｅ、７Ｆの基部７０の下面７０Ｂから外側に延出する。このため保持台７Ｅ、７Ｆでは、基部７０の下面７０Ｂからハーネス６２を下側に延出させることができる。この場合も同様に、保持台７に設ける案内部の位置及び形状を、ユーザの要望に応じて、自由に設けるようにしてもよい。
【００５１】
＜本実施形態の作用、効果＞
保持台７のうち、印刷装置１が保持される基部７０に、エリミネータ６のハーネス６２が案内される案内部７１Ａ〜７１Ｆ（総称して「案内部７１」という。）が設けられる。このため、保持台７は、印刷装置１が保持された状態で、印刷装置１の下面１０Ｂと基部７０の上面７０Ｕとの間にハーネス６２が挟まれることを抑制できる。従って、保持台７は印刷装置１を安定的に保持できる。
【００５２】
保持台７に案内部７１が設けられない場合、保持台７に印刷装置１が保持された状態で、保持台７の基部７０の上面７０Ｕと印刷装置１の筐体１０の下面１０Ｂとの間にエリミネータ６のハーネス６２が挟まれる。この場合、保持台７の下面７０Ｂと印刷装置１の上面１０Ｕとの間の距離、即ち、保持台７と印刷装置１とを含む全体の厚さは、印刷装置１及び保持台７のそれぞれの厚さに対し、ハーネス６２の直径分大きくなる。一方、保持台７に案内部７１が設けられる場合、エリミネータ６のハーネス６２は案内部７１内に配置されるので、保持台７と印刷装置１とを含む全体の厚さは、印刷装置１及び保持台７のそれぞれの厚さと略一致する。このため、保持台７の基部７０に案内部７１を設けることによって、保持台７と印刷装置１とを含む全体の厚さを小さくできる。従って、保持台７に印刷装置１が保持された状態での省スペース化が可能となる。
【００５３】
印刷装置１の収容部１６にエリミネータ６の本体部６１が収容された状態で印刷装置１が基部７０に保持された場合、保持台７の案内部７１は、本体部６１とハーネス６２との接続部分から基部７０の端部まで延びる。この場合、保持台７は、印刷装置１の収容部１６に収容されたエリミネータ６のハーネス６２を、本体部６１との接続部分から基部７０の端部まで案内できる。従って、保持台７は、印刷装置１の下面１０Ｂと基部７０の上面７０Ｕとの間にハーネス６２が挟まれることを、より適切に抑制できる。
【００５４】
案内部７１Ａ〜７１Ｄは、基部７０の上面７０Ｕに設けられた凹部により形成される。この場合、案内部７１Ａ〜７１Ｄにより案内されたハーネス６２が、基部７０の上面７０Ｕから上側に突出する可能性を低減できる。従って、保持台７は、基部７０によって印刷装置１を更に安定的に保持できる。又、保持台７と印刷装置１とを含む全体の厚さを、保持台７と印刷装置１とのそれぞれの厚さの加算値に近づけることができるので、全体の厚さを最小限に抑制できる。
【００５５】
案内部７１Ａ〜７１Ｄは、基部７０の上面７０Ｕに形成された細長い溝である。案内部７１Ｅは、基部７０の左面７０Ｌの凹部７０１に設けられた切欠きである。案内部７１Ｆは、基部７０の上面７０Ｕと下面７０Ｂとの間を貫通する孔である。これらの場合、保持台７は、ハーネス６２を案内することが可能な構成を、溝又は孔により容易に実現できる。又、案内部７１は、基部７０の上面７０Ｕに進入した液体等を端部に向けて流す流路としても機能する。このため、保持台７は、基部７０の上面７０Ｕに付着した水滴等が台側端子７７に接触してショートしたり、保持台７に保持された印刷装置１に付着したりする可能性を軽減できる。
【００５６】
保持台７に印刷装置１が保持された状態で、保持台７の台側端子７７は印刷装置１の装置側端子１７に接触する。このとき、保持台７の保持部７２は印刷装置１の下面１０Ｂに接触し、基部７０の上面７０Ｕは印刷装置１の下面１０Ｂの下側に近接する。しかし、エリミネータ６のハーネス６２は案内部７１に案内されるため、印刷装置１の下面１０Ｂと保持部７２との間、及び、印刷装置１の下面１０Ｂと基部７０の上面７０Ｕとの間にハーネス６２は挟まれない。このように、保持台７は、装置側端子１７に台側端子７７を接触させるために印刷装置１を近接させた場合において、印刷装置１との間にハーネス６２が挟まれることを防止できるので、保持台７と印刷装置１とを含む全体の厚さの増加を抑制できる。
【００５７】
保持台７の台側端子７７には電圧Ｖが印加される。バッテリー５は、保持台７に印刷装置１が保持された状態で、台側端子７７及び装置側端子１７を介して電圧Ｖが印加されることにより、充電される。このように、印刷装置１にバッテリー５が装着され、保持台７が充電台として使用される場合、保持台７は、装置側端子１７及び台側端子７７を介してバッテリー５を充電できる。
【００５８】
案内部７１は、係合部７３Ｒ、７３Ｌ、７８Ｒ、７８Ｌをそれぞれ仮想直線で結ぶことにより形成される閉領域Ｒ内に配置される。この場合、保持台７は、エリミネータ６のハーネス６２が案内部７１に案内された状態で、印刷装置１を基部７０に適切に保持できる。又、保持台７は、特に閉領域Ｒ内において、エリミネータ６の本体部６１とハーネス６２との接続部分と案内部７１との位置がずれることを抑制できる。このため、案内部７１からハーネス６２が外れる可能性を低減できる。
【００５９】
＜変形例＞
本発明は上記実施形態に限定されず、種々の変更が可能である。上記実施形態において、保持台７は、基部７０の下面７０Ｂが下側を向いた状態を前提とした。この場合、印刷装置１は、基部７０の上面７０Ｕの保持部７２に載置されることによって、保持台７に保持された。保持台７の向きは、上記実施形態に限定されない。例えば、保持台７は、水平方向と直交する壁に基部７０の下面７０Ｂを対向させた状態で、壁に取り付けられてもよい。この場合、基部７０の前面７０Ｆは、上側を向いていてもよいし、下側を向いていてもよい。印刷装置１は、被係合部１３が保持台７の係合部７３に係合し、且つ、被係合部１８が保持台７の係合部７８に係合することによって、保持台７に保持されてもよい。
【００６０】
保持台７の上面７０Ｕに、案内部７１に向けて下側に傾斜した傾斜部が設けられてもよい。この場合、保持台７は、上面７０Ｕに付着した液体等を、案内部７１に向けて効率的に流すことができる。
【００６１】
保持台７の案内部７１は、印刷装置１に装着されたエリミネータ６の本体部６１とハーネス６２との接続部分から、基部７０の端部まで延びていた。例えば案内部７１は、印刷装置１に装着されたエリミネータ６の本体部６１とハーネス６２との接続部分から、基部７０の前面７０Ｆ、右面７０Ｒ、左面７０Ｌ、下面７０Ｂ、及び後面７０Ｓに向けて複数延びていてもよい。これによって、エリミネータ６の本体部６１から延びるハーネス６２の方向が、エリミネータ６の種類に応じて多様な場合でも対応可能とすることができる。又、例えば印刷装置１の下面１０Ｂに凹部が形成されている場合、案内部７１は、エリミネータ６の本体部６１とハーネス６２との接続部分から、該凹部までの間延びていてもよい。ハーネス６２は、基部７０の案内部７１、及び、印刷装置１の凹部によって案内されてもよい。この場合、案内部７１は、基部７０の端部まで延びていなくてもよい。
【００６２】
保持台７の台側端子７７は、基部７０の上面７０Ｕに設けられなくてもよい。印刷装置１の装置側端子１７は、印刷装置１の下面１０Ｂに設けられなくてもよい。例えば、印刷装置１及び保持台７のそれぞれの側面（前面、右面、左面、後面）に、それぞれを電気的に接続するケーブルを装着可能なコネクタが設けられてもよい。印刷装置１のバッテリー５は、該ケーブルを介して保持台７側から電圧Ｖが印加されることにより充電されてもよい。
【００６３】
印刷装置１は装置側端子１７を有さず、保持台７は台側端子７７を有さなくてもよい。例えば保持台７は、高周波電力が供給される１次コイルを備えてもよい。バッテリー５は２次コイルを備えていてもよい。保持台７に印刷装置１が保持された状態で、１次コイルと２次コイルが近接してもよい。この状態で１次コイルに高周波電力が供給されることにより、２次コイルに電力が誘導してもよい。バッテリー５は、２次コイルに誘導した電力によって充電されてもよい。
【００６４】
保持台７は、基部７０の上面７０Ｕに保持部７２を有さなくてもよい。印刷装置１が保持台７に保持される場合、保持台７は、印刷装置１の下面１０Ｂに基部７０の上面７０Ｕを直接接触させることによって、印刷装置１を基部７０により保持してもよい。
【００６５】
案内部７１の大部分は、係合部７３Ｒ、７３Ｌ、７８Ｒ、７８Ｌをそれぞれ仮想直線で結ぶことにより形成される閉領域Ｒ内に配置される。ここで、案内部７１全体のうち、閉領域Ｒ内に配置される部分の割合については特段限定されないが、例えば８０％以上とすることが好ましい。
【００６６】
例えば、保持台７に設けられる係合部７３、７８の数は、４つに限定されず、２、３、５以上であってもよい。例えば、係合部の数をＮ（Ｎは３以上の整数）とした場合、対応する閉領域Ｒの形状は、それぞれの係合部の位置を頂点とするＮ角形である。又、保持台７に設けられる係合部７３、７８の数を２とした場合、案内部７１は、２つの係合部７３、７８を結ぶ仮想直線と交差する位置、即ち、２つの係合部の間に設けられていてもよい。
【００６７】
印刷装置１は、筐体１０の下面１０Ｂに接続されたハーネスを有していてもよい。つまり、ハーネスは、印刷装置１の下面１０Ｂから直接延びていてもよい。ハーネスは、印刷装置１に対して直流電源を直接供給してもよい。この印刷装置１が保持台７に保持された場合、基部７０の案内部７１の一端側は、下面１０Ｂとハーネスとの接続部分に配置されてもよい。即ち、保持台７の案内部７１は、印刷装置１が保持された状態で、印刷装置１に直接接続されたハーネスを案内してもよい。
【００６８】
＜その他＞
エリミネータ６は、本発明の「変換器」の一例である。
【符号の説明】
【００６９】
１        ：印刷装置
５        ：バッテリー
６        ：エリミネータ
７、７Ａ、７Ｂ、７Ｃ、７Ｄ、７Ｅ、７Ｆ      ：保持台
１３、１３Ｌ、１３Ｒ、１８、１８Ｌ、１８Ｒ    ：被係合部
１６      ：収容部
１７      ：装置側端子
６１      ：本体部
６２      ：ハーネス
７０      ：基部
７１、７１Ａ、７１Ｂ、７１Ｃ、７１Ｄ、７１Ｅ、７１Ｆ    ：案内部
７２、７２１、７２２、７２３、７２４    ：保持部
７３、７３Ｌ、７３Ｒ、７８、７８Ｌ、７８Ｒ    ：係合部
７７      ：台側端子
【図１】
2020082647.tif 000003
【図２】
2020082647.tif 000004
【図３】
2020082647.tif 000005
【図４】
2020082647.tif 000006
【図５】
2020082647.tif 000007
【図６】
2020082647.tif 000008
【図７】
2020082647.tif 000009
【図８】
2020082647.tif 000010
【図９】
2020082647.tif 000011
【図１０】
2020082647.tif 000012
【図１１】
2020082647.tif 000013